(57)【要約】  第１の通信チャネルを介して第２の通信デバイスから、第１の情報を含む信号を第１の通信デバイスにおいて受信するステップと、前記第１の通信デバイスから前記第２の通信デバイスに応答を送信するステップであって、前記応答は、前記第２の通信デバイスから受信された前記信号に依存する、送信するステップとを含む通信方法であって、前記第１及び第２の通信チャネルの一方は身体結合通信チャネルであり、前記第１及び第２の通信チャネルの他方は無線周波数チャネルである、通信方法を提供するための方法、及び装置である。
2020505859.tif 000002
【特許請求の範囲】
【請求項１】
第１の通信チャネルを介して第２の通信デバイスから、第１の情報を含む信号を第１の通信デバイスにおいて受信するステップと、
第２の通信チャネルを介して前記第１の通信デバイスから前記第２の通信デバイスに応答を送信するステップであって、前記応答は、前記第２の通信デバイスから受信された前記信号に依存する、ステップと、
前記応答が基準に合致する場合、前記第２の通信チャネル上で前記第１の通信デバイスと前記第２の通信デバイスとの間のペアリングを前記第２の通信デバイスによって開始するステップと
を含む、通信方法であって、
前記第１の通信チャネルは身体結合通信チャネルであり、前記第２の通信チャネルは無線周波数チャネルである、
通信方法。
【請求項２】
第２の通信デバイスにおいて、第１の情報を含む信号を第１の通信チャネルを介して第１の通信デバイスに送信するステップと、
第２の通信チャネルを介して前記第１の通信デバイスからの応答を受信するステップであって、前記応答は、前記第２の通信デバイスから送信された前記信号に依存する、ステップと、
前記応答が基準に合致する場合、前記第２の通信チャネル上で前記第１の通信デバイスと前記第２の通信デバイスとの間のペアリングを前記第２の通信デバイスによって開始するステップと
を含む、通信方法であって、
前記第１の通信チャネル及び前記第２の通信チャネルの一方は身体結合通信チャネルであり、前記第１の通信チャネル及び前記第２の通信チャネルの他方は無線周波数チャネルである、通信方法。
【請求項３】
前記第１の通信デバイス及び前記第２の通信デバイスの一方が前記第１の通信デバイス及び前記第２の通信デバイスの他方から受信した情報の品質を使用して、前記他方の通信デバイスに対する前記一方の通信デバイスの相対位置を決定する、請求項１又は２に記載の通信方法。
【請求項４】
前記第１の通信デバイス及び前記第２の通信デバイスの一方が前記第１の通信デバイス及び前記第２の通信デバイスの他方から受信した前記身体結合通信チャネルの信号品質を使用して、前記他方の通信デバイスに対する前記一方の通信デバイスの相対位置を決定する、請求項１乃至３の何れか一項に記載の通信方法。
【請求項５】
決定された前記相対位置から、前記第１の通信デバイス及び前記第２の通信デバイスの一方が現在位置から移動されるべきか否かを決定し、移動されるべき場合には、前記一方の通信デバイスが移動されるべきであることを示す出力情報を提供するステップを含む、請求項３又は４に記載の通信方法。
【請求項６】
前記第１の通信デバイス及び前記第２の通信デバイスの一方が前記第１の通信デバイス及び前記第２の通信デバイスの他方から受信した情報の品質を使用して、前記第１の通信デバイス及び前記第２の通信デバイスがもはや前記通信チャネルのうちの１つを介して通信していないかを決定する、請求項１乃至５の何れか一項に記載の通信方法。
【請求項７】
前記通信チャネルのうちの前記１つが身体結合通信チャネルである、請求項６に記載の通信方法。
【請求項８】
前記第１の通信チャネル及び前記第２の通信チャネルの一方が比較的高帯域幅の通信チャネルであり、前記第１の通信チャネル及び前記第２の通信チャネルの他方が比較的低帯域幅の通信チャネルである、請求項１乃至７の何れか一項に記載の通信方法。
【請求項９】
前記第１の通信デバイス及び前記第２の通信デバイスの一方はセンサデバイスであり、前記第１の通信デバイス及び前記第２の通信デバイスの他方はブリッジデバイスである、請求項１乃至８の何れか一項に記載の通信方法。
【請求項１０】
前記第１の通信デバイス及び前記第２の通信デバイスをペアリングするステップを含む、請求項１乃至９の何れか一項に記載の通信方法。
【請求項１１】
前記第１の通信デバイス及び前記第２の通信デバイスの一方がモニタ情報を受信し、前記第１の通信デバイス及び前記第２の通信デバイスの他方がモニタ情報を送信するステップを含む、請求項１乃至１０の何れか一項に記載の通信方法。
【請求項１２】
後続の信号が対応する時間内に受信又は送信されたか否かを決定し、そうでない場合、前記第１の通信デバイス及び前記第２の通信デバイスのうちの少なくとも１つを低電力モードにするステップを含む、請求項１乃至１１の何れか一項に記載の通信方法。
【請求項１３】
前記第１の通信デバイス及び前記第２の通信デバイスの一方によって、前記第１の通信デバイス及び前記第２の通信デバイスの他方から少なくとも１つの身体結合通信チャネルを介した前記信号が受信されないとき、前記第１の通信デバイス及び前記第２の通信デバイスが所定時間後にペアリング解除される、請求項１乃至１２の何れか一項に記載の通信方法。
【請求項１４】
第１の通信チャネルを介して第２の通信デバイスから、第１の情報を含む信号を受信する受信機と、
第２の通信チャネルを介して前記第２の通信デバイスに応答を送信する送信機と
を備える、第１の通信デバイスであって、
前記応答は、前記第２の通信デバイスから受信された前記信号に依存し、前記応答は、基準に合致することによって、前記第２の通信チャネル上で前記第１の通信デバイスと前記第２の通信デバイスとの間のペアリングを前記第２の通信デバイスに開始させ、
前記第１の通信チャネルは身体結合通信チャネルであり、前記第２の通信チャネルは無線周波数チャネルである、
第１の通信デバイス。
【請求項１５】
第１の情報を含む信号を第１の通信チャネルを介して第１の通信デバイスに送信する送信機と、
第２の通信チャネルを介して前記第１の通信デバイスから応答を受信する受信機とを備える、第２の通信デバイスであって、
前記応答は、前記第２の通信デバイスから送信された前記信号に依存し、
前記第２の通信デバイスは、前記応答が基準に合致する場合、前記第２の通信チャネル上で前記第１の通信デバイスと前記第２の通信デバイスとの間のペアリングを開始し、
前記第１の通信チャネルは身体結合通信チャネルであり、前記第２の通信チャネルは無線周波数チャネルである、
第２の通信デバイス。
【発明の詳細な説明】
【技術分野】
【０００１】
身体結合通信（ＢＣＣ：Ｂｏｄｙ−ｃｏｕｐｌｅｄ  ｃｏｍｍｕｎｉｃａｔｉｏｎ）は、２つのデバイスが人間又は動物の身体を介して接続されているか否かを検出することができる。これを実現するには、両方のデバイスが同じ人間又は動物の身体に接触する又は近接（約数ｃｍ）する必要がある。一部の実施形態は、ボディセンサネットワーク（ＢＳＮ：ｂｏｄｙ  ｓｅｎｓｏｒ  ｎｅｔｗｏｒｋ）内のセンサ測定値に追加のコンテキストを提供し、これは、ペアリング及び／又はペアリング解除アクションを開始し得る。
【背景技術】
【０００２】
身体結合通信（ＢＣＣ）又は身体ベースの通信は、電気電子技術者協会（ＩＥＥＥ）の８０２．１５．６タスクグループによって標準化されたボディエリアネットワーク（ＢＡＮ）の基礎として提案された。ＢＣＣは、人間又は動物の身体における、又は身体の近くにある複数のデバイス間で情報を交換することを可能にする。これは、体表面への低エネルギー電界の容量性結合又は電気的結合によって達成され得る。
【０００３】
身体結合通信（ＢＣＣ）は、人間又は動物の身体を通信チャネルとして使用する。これにより、人間又は動物の身体と接触しているデバイス間で、人間又は動物の身体を介した無線通信が可能になる。信号は空中を介してではなく、身体を介して伝達される。したがって、通信は身体上の又は身体の近くの領域に限定される。よって、身体上に配置されたデバイス、身体に接続されたデバイス、又は身体の近くに配置されたデバイス間で通信が可能である。
【０００４】
ボディエリアネットワーク（ＢＡＮ）、より具体的にはボディセンサネットワーク（ＢＳＮ）の分野での取り組みが行われてきた。ＢＳＮは、ボディエリアネットワーク（例えばＢｌｕｅｔｏｏｔｈ（登録商標）、ＩＳＭ（ｉｎｄｕｓｔｒｉａｌ，ｓｃｉｅｎｔｉｆｉｃ  ａｎｄ  ｍｅｄｉｃａｌ）バンド、又はブリッジ若しくはハブとの身体結合通信等）を介して通信を行う、身体に装着されたセンサパッチを介して、ヘルスモニタリング及びコーチングアプリケーションを可能にする。
【０００５】
ブリッジは、ＢＡＮを、クラウドに接続可能であり得るＷｉＦｉ（登録商標）やセルラーなどのより大きなネットワークに接続し得るスマートフォン、又は任意のウェアラブル若しくは他のスマートデバイス（例えばスマートウォッチ、ペンダント、拡張現実メガネ、インプラント可能デバイス、又は布地埋め込み電子機器など）であり得る。図１は、身体上の複数のセンサ／アクチュエータ１０１〜１１１から構成されるボディエリアネットワーク（ＢＡＮ）を、（無線）ブリッジユニット１１３（しばしば、ユーザのスマートフォン）、及びアクセスポイント１１５及び１１７を介したインターネット１１９接続性とともに示す。
【０００６】
企業は現在、例えば病院と自宅の両方で患者をモニタリングするための、医療分野におけるセンサパッチ及びＢＳＮの使用を調査している。病院では、ＢＳＮは通常、看護師などの病院スタッフによって適用及び構成される。病院では、医療ミスを防ぐために、センサを正しいブリッジに接続することが望ましい。自宅では、患者自身がセンサパッチを管理し、例えば、電池が切れたパッチを交換し得る。このような患者には、関節炎、認知能力の低下、及び／又は視力の低下が見られる可能性があるので、センサパッチを管理する作業は簡単であるべきである。
【０００７】
医療用途の無線パッチセンサを含む現在の技術は、ブリッジ又はハブと通信するためにＲＦ通信、例えばＢｌｕｅｔｏｏｔｈ（登録商標）  ＬＥ（ｌｏｗ  ｅｎｅｒｇｙ）を使用することを想定する。これらのデバイスは、遠距離の患者モニタリング／コーチングを可能にするためにリモートデバイスに接続し得る。しかし、このような技術は、準最適なパッチの配置（皮膚に対する設置又は接触）、間違ったブリッジへの接続、干渉、及び／又は脱離若しくはパワーロス等の問題に悩まされる可能性がある。
【０００８】
一部の実施形態は、これらの課題の１つ又は複数に対処することを試み得る。
【発明の概要】
【０００９】
一側面によれば、第１の通信チャネルを介して第２の通信デバイスから、第１の情報を含む信号を第１の通信デバイスにおいて受信するステップと、第２の通信チャネルを介して前記第１の通信デバイスから前記第２の通信デバイスに応答を送信するステップであって、前記応答は、前記第２の通信デバイスから受信された前記信号に依存する、ステップと、前記応答が基準に合致する場合、前記第２の通信チャネル上で前記第１の通信デバイスと前記第２の通信デバイスとの間のペアリングを前記第２の通信デバイスによって開始するステップとを含む通信方法であって、前記第１及び第２の通信チャネルの一方は身体結合通信チャネルであり、前記第１及び第２の通信チャネルの他方は無線周波数チャネルである、方法が提供される。
【００１０】
これは、身体結合通信チャネルを介した通信が、第１及び第２のデバイスが同じ身体に接続されていることを保証するので、有利であり得る。
【００１１】
他の側面によれば、第２の通信デバイスにおいて、第１の情報を含む信号を第１の通信チャネルを介して第１の通信デバイスに送信するステップと、第２の通信チャネルを介して前記第１の通信デバイスからの応答を受信するステップであって、前記応答は、前記第２の通信デバイスから送信された前記信号に依存する、ステップと、前記応答が基準に合致する場合、前記第２の通信チャネル上で前記第１の通信デバイスと前記第２の通信デバイスとの間のペアリングを前記第２の通信デバイスによって開始するステップとを含む通信方法であって、前記第１及び第２の通信チャネルの一方は身体結合通信チャネルであり、前記第１及び第２の通信チャネルの他方は無線周波数チャネルである、方法が提供される。
【００１２】
これは、身体結合通信チャネルを介した通信が、第１及び第２のデバイスが同じ身体に接続されていることを保証するので、有利であり得る。
【００１３】
一部の実施形態では、二階層（ｔｗｏ−ｔｉｅｒ）ペアリングスキームが提供され得る。第１の階層は、無線ブリッジとのペアリングを開始するために、例えば身体結合通信（ＢＣＣ）などの低帯域幅通信チャネルを利用し、第２の階層は、後続のデータ伝送のために、例えばＢｌｕｅｔｏｏｔｈ（登録商標）  ｌｏｗ  ｅｎｅｒｇｙ（ＢＬＥ）又は他の無線ペアリングなどの高帯域幅通信チャネルを利用し得る。
【００１４】
例えば、患者又は他のユーザが患者の身体からセンサパッチを意図的に取り外した場合、ブリッジデバイスはこれを認識し、無効なセンサ測定値を受信していることを示さない可能性がある。一部の実施形態では、センサパッチの意図的な除去は、センサのＢＳＮからの切断（ペアリング解除）を引き起こし得る。低帯域幅通信チャネル（ＢＣＣ）は、意図的な除去の認識を補助する情報を提供し得る。
【００１５】
一部の実施形態では１つのセンサデバイスが使用され、他の実施形態では任意の数のセンサデバイスが使用され得る。
【００１６】
一部の実施形態では１つのブリッジ（ハブ）デバイスが使用され、他の実施形態では任意の数のブリッジデバイスが使用され得る。
【００１７】
一部の実施形態では、ブリッジはリモートデバイス、例えばセンサデバイスと通信する。
【００１８】
一部の実施形態では、リモートデバイスはブリッジデバイス、例えばスマートデバイスと通信する。
【００１９】
一部の実施形態では、ブリッジデバイス及びリモートデバイスは、ペアリングされた通信及び／又はペアリングされていない通信を有し得る。
【００２０】
第１及び第２の通信デバイスの一方はブリッジデバイスであり、第１及び第２の通信デバイスの他方はセンサデバイスであり得る。
【００２１】
上記方法は、第１及び第２の通信デバイスの一方が第１及び第２の通信デバイスの他方から受信した情報の品質を使用して、前記他方の通信デバイスに対する前記一方の通信デバイスの相対位置を決定することを含み得る。
【００２２】
これは、位置情報を使用して、第１及び第２のデバイスが身体の正しい部分に取り付けられているか否かに関する情報を提供できるので、有利であり得る。
【００２３】
上記方法は、前記決定された相対位置から、前記第１及び第２のデバイスの一方が現在位置から移動されるべきか否かを決定し、移動されるべき場合には、前記一方のデバイスが移動されるべきであることを示す出力情報を提供するステップを含み得る。
【００２４】
これは、前記第１及び第２のデバイスの一方が現在位置から移動されるべきことを示す情報を提供することにより、ユーザは前記第１及び第２のデバイスのうちの前記一方を再配置できるので、有利であり得る。
【００２５】
上記方法は、前記第１及び第２の通信デバイスの一方が前記第１及び第２の通信デバイスの他方から受信した情報の品質を使用して、前記第１及び第２の通信デバイスがもはや前記チャネルのうちの１つを介して通信していないかを決定することを含み得る。
【００２６】
これにより、第１及び／又は第２のデバイスが送信及び／又は受信を停止すること、及び／又は低電力モードに入ることができるので、有利であり得る。
【００２７】
上記方法は、前記チャネルのうちの１つが身体結合通信チャネルであることをさらに含み得る。
【００２８】
これにより、第１及び第２の通信デバイスがもはや同じ身体に取り付けられていないことを第１及び第２の通信デバイスが確信できるので、有利であり得る。
【００２９】
上記方法は、前記第１及び第２の通信チャネルの一方が比較的高帯域幅の通信チャネルであり、第１及び第２の通信チャネルの他方が比較的低帯域幅の通信チャネルであることを含み得る。
【００３０】
これは、少なくとも１つの低帯域幅通信チャネルを使用することにより、第１及び第２の通信デバイスがより少ない電力を消費し得るので、有利であり得る。
【００３１】
上記方法は、前記第１及び第２の通信デバイスの一方はセンサデバイスであり、前記第１及び第２の通信デバイスの他方はブリッジデバイスであることを含み得る。
【００３２】
上記方法は、前記第１及び第２の通信デバイスをペアリングするステップをさらに含み得る。これは、第１及び第２の通信デバイス間の情報の送信及び受信を第１及び第２の通信デバイスが予期することを可能にし得るので、有利であり得る。
【００３３】
上記方法は、前記第１及び第２の通信デバイスのペアリングを解除することをさらに含み得る。これは、第１及び第２の通信デバイス間の情報の送信及び受信を第１及び第２の通信デバイスが予期することを停止することを可能にし得るので、有利であり得る。
【００３４】
上記方法は、前記第１及び第２の通信デバイスの一方によって前記第１及び第２の通信デバイスの他方から情報が受信されないとき、前記第１及び第２の通信デバイスが所定時間後にペアリング解除されることを含み得る。これは、第１及び第２の通信デバイス間の情報の送信及び受信を第１及び第２の通信デバイスが予期することを可能にし得るので、有利であり得る。これにより、電力を節約することができる。
【００３５】
上記方法は、前記第１及び第２の通信デバイスの一方によって前記第１及び第２の通信デバイスの他方から少なくとも１つの身体結合通信チャネルを介して情報が受信されないとき、前記第１及び第２の通信デバイスが所定時間後にペアリング解除されることを含み得る。これは、前記第１及び前記第２の通信デバイス間の少なくとも１つの身体結合通信チャネルを介して信号が提供されない場合、前記第１及び第２の通信デバイスの一方がもはや同じ身体に取り付けられていない可能性があるので、前記第１及び第２の通信デバイスはもはや前記第１及び第２の通信デバイス間の情報の送信及び受信を予期しないので、有利であり得る。
【００３６】
上記方法は、前記第１及び第２の通信デバイスの一方がモニタ情報を受信し、前記第１及び第２の通信デバイスの他方がモニタ情報を送信するステップを含み得る。これは、例えば、患者の健康状態をモニタリングすることを可能にし得るので、有利であり得る。
【００３７】
上記方法は、第１及び第２の通信デバイスの一方が第１及び第２の通信デバイスの他方から受信したモニタ情報の品質を使用して、前記他方の通信デバイスに対する前記一方の通信デバイスの相対位置を決定することを含み得る。これは、位置情報を使用して、第１及び／又は第２のデバイスが身体の正しい部分に取り付けられているか否かに関する情報を提供できるので、有利であり得る。
【００３８】
上記方法は、前記第１及び第２の通信デバイスの一方が前記第１及び第２の通信デバイスの他方から受信した１つ又は複数の身体結合通信チャネルの信号強度を使用して、前記他方の通信デバイスに対する前記一方の通信デバイスの相対位置を決定することを含み得る。これは、位置情報を使用して、第１及び／又は第２のデバイスが身体の正しい部分に取り付けられているか否かに関する情報を提供できるので、有利であり得る。
【００３９】
上記方法はさらに、前記決定された相対位置から、前記第１及び第２のデバイスの一方が現在位置から移動されるべきか否かを決定し、移動されるべき場合には、前記一方のデバイスが移動されるべきであることを示す出力情報を提供するステップを含み得る。これは、前記第１及び第２のデバイスの一方が現在位置から移動されるべきことを示す情報を提供することにより、ユーザは前記第１及び第２のデバイスのうちの前記一方を再配置できるので、有利であり得る。
【００４０】
上記方法は、前記第１及び第２の通信デバイスの一方が前記第１及び第２の通信デバイスの他方から受信した１つ又は複数の身体結合通信チャネルの信号強度を使用して、前記第１及び第２の通信デバイスがもはや前記チャネルのうちの１つを介して通信していないかを決定することを含み得る。これにより、第１及び／又は第２のデバイスが送信及び／又は受信を停止すること、及び／又は低電力モードに入ることができるので、有利であり得る。
【００４１】
上記方法は、後続の信号が対応する時間内に受信又は送信されたか否かを決定し、そうでない場合、前記第１の通信デバイス及び前記第２の通信デバイスのうちの少なくとも１つを低電力モードにするステップを含み得る。これは、前記第１の通信デバイス及び前記第２の通信デバイスのうちの少なくとも１つが電力を節約することを可能にし得るので、有利であり得る。
【００４２】
上記方法は、前記第１及び第２の通信デバイスの一方が前記第１及び第２の通信デバイスの他方から受信した身体結合通信チャネルの信号品質を使用して、前記他方の通信デバイスに対する前記一方の通信デバイスの相対位置を決定することを含み得る。これは、位置情報を使用して、第１及び／又は第２のデバイスが身体の正しい部分に取り付けられているか否かに関する情報を提供できるので、有利であり得る。
【００４３】
上記方法はさらに、前記決定された相対位置から、前記第１及び第２のデバイスの一方が現在位置から移動されるべきか否かを決定し、移動されるべき場合には、前記一方のデバイスが移動されるべきであることを示す出力情報を提供するステップを含み得る。これは、前記第１及び第２のデバイスの一方が現在位置から移動されるべきことを示す情報を提供することにより、ユーザは前記第１及び第２のデバイスのうちの前記一方を再配置できるので、有利であり得る。
【００４４】
上記方法は、前記第１及び第２の通信デバイスの一方が前記第１及び第２の通信デバイスの他方から受信した信号品質を使用して、前記第１及び第２の通信デバイスがもはや前記チャネルのうちの１つを介して通信していないかを決定することを含み得る。これにより、第１及び／又は第２のデバイスが送信及び／又は受信を停止すること、及び／又は低電力モードに入ることができるので、有利であり得る。
【００４５】
他の側面では、第１の通信デバイスであって、第１の通信チャネルを介して第２の通信デバイスから、第１の情報を含む信号を受信する受信機と、第２の通信チャネルを介して前記第２の通信デバイスに応答を送信する送信機とを備え、前記応答は、前記第２の通信デバイスから受信された前記信号に依存し、かつ、基準に合致することによって、前記第２の通信チャネル上で前記第１の通信デバイスと前記第２の通信デバイスとの間のペアリングを前記第２の通信デバイスに開始させ、前記第１の通信チャネルは身体結合通信チャネルであり、前記第２の通信チャネルは無線周波数チャネルである、第１の通信デバイスが提供される。
【００４６】
他の側面によれば、第２の通信デバイスであって、第１の情報を含む信号を第１の通信チャネルを介して第１の通信デバイスに送信する送信機と、第２の通信チャネルを介して前記第１の通信デバイスから応答を受信する受信機とを備え、前記応答は、前記第２の通信デバイスから送信された前記信号に依存し、前記第２の通信デバイスは、前記応答が基準に合致する場合、前記第２の通信チャネル上で前記第１の通信デバイスと前記第２の通信デバイスとの間のペアリングを開始し、前記第１の通信チャネルは身体結合通信チャネルであり、前記第２の通信チャネルは無線周波数チャネルである、第２の通信デバイスが提供される。
【図面の簡単な説明】
【００４７】
以下、例示的な一部の実施形態について、以下の添付図面を参照しながら説明する。
【図１】図１は、身体結合通信ＢＣＣシステムの一実施形態を概略的に示す。
【図２】図２は、ブリッジデバイスを概略的に示す。
【図３】図３は、センサデバイスを概略的に示す。
【図４】図４は、ブリッジデバイスとセンサデバイスとをペアリングする方法を概略的に示す。
【図５】図５は、ブリッジデバイスとセンサデバイスとのペアリングを解除する方法を概略的に示す。
【図６ａ−６ｂ】図６ａ及び図６ｂは、低帯域幅チャネル（ＢＣＣ）及び高帯域幅チャネル（ＢＬＥ）がどのように協働するかの例を概略的に示す。
【図７】図７は、センサパッチが再配置を必要とするか否かを決定する方法の例を示す。
【発明を実施するための形態】
【００４８】
２つのデバイスが同じ人体に接続されているか否かを検出するために身体結合通信（ＢＣＣ）が使用され得る。動物の身体、例えばペット又は家畜の身体が使用されてもよいことを理解されたい。これを実現するには、両方のデバイスが同じ人間又は動物の身体に接触する又は近接（約数ｃｍ）する必要がある。一部の実施形態は、ＢＳＮ内のセンサ読み取り値に追加のコンテキストを提供するために、及びペアリング及びペアリング解除アクションを開始するためにこの特性を利用する。
【００４９】
一部のシステムでは、様々な目的に使用され得る低帯域幅通信チャネル（例えば＜２５０Ｋｂｐｓ）及び高帯域幅通信チャネル（例えば＞１Ｍｂｐｓ）を含むボディセンサネットワーク（ＢＳＮ）が提供される。例えば、低帯域幅チャネルは、１つ又は複数のセンサ（又は他のリモートデバイス）及び１つ又は複数のブリッジ（又はハブ）が同じ身体に接続されているか否かを検出するために単純な制御及び識別信号のために使用され、一方、高帯域幅チャネルは、センサデータ通信を可能にするためにデータストリーミングに使用され得る。高帯域幅通信チャネルは、低帯域幅通信チャネルと比較して比較的高い帯域幅であることを理解されたい。
【００５０】
低帯域幅チャネルと高帯域幅チャネルは、身体結合通信（ＢＣＣ）などの１つのネットワーク技術内に存在し得る。あるいは、これらのチャネルは異なるネットワークを使用してもよく、低帯域幅チャネルは身体結合通信を通じて実行され、高帯域幅チャネルはＲＦ通信、たとえばＢｌｕｅｔｏｏｔｈ（登録商標）  Ｌｏｗ−Ｅｎｅｒｇｙ（ＢＬＥ）又はＭ−ＢＡＮを通じて実行されてもよい。
【００５１】
図６ａ及び図６ｂは、低帯域幅チャネル（ＢＣＣ）及び高帯域幅チャネル（ＢＬＥ）がどのように協働することができるかの例を示す。
【００５２】
ここで、身体センサネットワークの可能な実施形態を、図６ａ及び図６ｂを参照して説明する。図６ａでは、患者６０１は、身体に取り付けられたブリッジ又はハブデバイス６０３を有する。ブリッジ又はハブデバイス６０３は、例えば身体結合通信（ＢＣＣ）チャネルであり得る１つ又は複数の低帯域幅通信チャネル６０９を使用して、センサ又は他のリモートデバイス６０５と通信することができる。
【００５３】
図６ａでは、ブリッジデバイス６０３は、１つ又は複数の低帯域幅通信チャネル６０９を介してブリッジ識別（ＩＤ）信号を送信する。
【００５４】
図６ｂでは、センサ６０５は、１つ又は複数の低帯域幅通信チャネル６０９を介してブリッジデバイス６０３からブリッジ識別（ＩＤ）信号を受信している。次に、センサ６０５は、例えばＢｌｕｅｔｏｏｔｈ（登録商標）  ｌｏｗ  ｅｎｅｒｇｙ（ＢＬＥ）であり得る１つ又は複数の高帯域幅通信チャネル６１１を介してブリッジ識別（ＩＤ）信号を送信する。ブリッジデバイス６０３が１つ又は複数の高帯域幅通信チャネル６１１を介してセンサ６０５からブリッジ識別（ＩＤ）信号を受信すると、ブリッジデバイス６０３はセンサ６０５とペアリングし得る。
【００５５】
一部の実施形態では、ブリッジデバイス６０３は、１つ又は複数の高帯域幅通信チャネル上で識別情報（ブリッジＩＤ）を送信し、１つ又は複数の低帯域幅通信チャネルを介して同じ識別情報（ブリッジＩＤ）又は当該識別情報に関連する関連情報を受信するのを待つ。
【００５６】
代替的に又は追加的に、センサデバイス６０５は、１つ又は複数の低帯域幅通信チャネルを介してブリッジデバイス６０３に識別情報（センサＩＤ）を送信し、１つ又は複数の高帯域幅通信チャネルを介して同じ識別情報（センサＩＤ）又は当該識別情報に関連する関連情報の受信を待ち得る。
【００５７】
代替的に又は追加的に、センサデバイス６０５は、１つ又は複数の高帯域幅通信チャネルを使用してブリッジデバイス６０３に識別情報（センサＩＤ）を送信し、１つ又は複数の低帯域幅通信チャネルを介して同じ識別情報（センサＩＤ）又は当該識別情報に関連する関連情報の受信を待ち得る。
【００５８】
一部の実施形態では、低帯域幅通信チャネルのうちの少なくとも１つは身体結合通信チャネルである。
【００５９】
一部の実施形態では、高帯域幅通信チャネルのうちの少なくとも１つは身体結合通信チャネルである。
【００６０】
一部の実施形態は、センサデバイスが同じ患者上のブリッジデバイスと通信していることを保証するために、チャネルのうちの、身体結合通信チャネルである１つに依拠する。
【００６１】
次に、ブリッジデバイス２００の例示的な概略図を示す図２を参照して、ブリッジデバイスの例示的な実施形態を説明する。このようなブリッジデバイスは、ハブデバイスと称され得る。適切なブリッジデバイスは、身体結合通信信号及び無線信号を送受信可能な任意のデバイスによって提供され得る。
【００６２】
ブリッジデバイス２００は、他のデバイス、例えば１つ又は複数のセンサデバイスと通信するために、エア又はラジオインターフェース２０７を使用して、高帯域幅通信リンクを介して信号を送受信し得る。また、ブリッジデバイス２００は、他のデバイス、例えば１つ又は複数のセンサデバイスと通信するために、身体結合通信（ＢＣＣ）インターフェース２１０を介して低帯域幅通信リンク上で信号を送受信してもよい。これらのインターフェースは、１つ又は複数の送受信機によって提供される。ブリッジデバイスは、少なくとも１つのデータ処理エンティティ２０１、少なくとも１つのメモリ２０２、及び他の関連する制御装置２０３を備え得る。データ処理、記憶、及び他の関連する制御装置は、適切な回路基板上及び／又はチップセット内に提供され得る。ブリッジデバイスは、ユーザがブリッジデバイスを制御することを可能にする適切なユーザインターフェース２０５を有してもよい。一部の実施形態では、ユーザインターフェースを省き、ＢＣＣインターフェース及び無線インターフェースの一方又は両方が、ユーザがブリッジデバイスを制御するための入力を提供するデバイスと通信してもよい。ブリッジデバイスは、ユーザにブリッジデバイスの状態、及びブリッジデバイスと通信している（すなわち、ボディエリアネットワーク内の）任意のデバイスの状態（例えば、ブリッジデバイスに接続されている任意のセンサデバイスの状態）を提供し得る適切なディスプレイ２０４を有してもよい。あるいは、ブリッジデバイスは、別個のディスプレイデバイス上に表示され得る出力を提供し得る。
【００６３】
ブリッジデバイスの構成要素は、バス２０６を介して通信してもよい。ブリッジデバイス２００はさらに、他のデバイスとの接続及び／又は通信を可能にするために、及び／又は外部アクセサリを接続するために、任意の適切なコネクタ（有線又は無線）を備えてもよい。
【００６４】
次に、センサデバイス３００の例示的な概略図を示す図３を参照して、センサデバイスの例示的な実施形態を説明する。適切なセンサデバイスは、身体結合通信信号及び無線信号を送受信可能な任意のデバイスによって提供され得る。
【００６５】
センサデバイス３００は、他のデバイス、例えばブリッジデバイスと通信するために、エア又はラジオインターフェース３０７を介して、高帯域幅通信リンク上で信号を送受信する。また、センサデバイス３００は、他のデバイス、例えばブリッジデバイスと通信するために、身体結合通信インターフェース３１０を介して低帯域幅通信リンク上で信号を送受信してもよい。センサデバイスは、少なくとも１つのデータ処理エンティティ３０１、少なくとも１つのメモリ３０２、及び他の関連する制御装置３０３を備え得る。データ処理、記憶、及び他の関連する制御装置は、適切な回路基板上及び／又はチップセット内に提供され得る。
【００６６】
センサデバイスは、センサデバイスを制御するための適切なユーザインターフェース３０５を有してもよい。一部の実施形態では、ユーザインターフェースを省き、ＢＣＣインターフェース及び無線インターフェースの一方又は両方が、ユーザがセンサデバイスを制御するための入力を提供するデバイスと通信してもよい。一部の実施形態では、センサデバイスは、ブリッジデバイスによって制御され得る。
【００６７】
センサデバイスは、ユーザにセンサデバイスの状態、及びセンサデバイスと通信している（すなわち、ボディエリアネットワーク内の）任意のデバイスの状態（例えば、センサデバイスに接続されている任意のブリッジデバイスの状態）を提供し得る適切なディスプレイ３０４を有してもよい。あるいは、センサデバイスは、別個のディスプレイデバイス上に表示され得る、又はブリッジデバイスに渡されて表示され得る出力を提供してもよい。
【００６８】
センサデバイスの構成要素は、バス３０６を介して通信してもよい。センサデバイス３００はさらに、他のデバイスとの接続及び／又は通信を可能にするために、及び／又は外部アクセサリを接続するために、任意の適切なコネクタ（有線又は無線）を備えてもよい。
【００６９】
一部の実施形態では、ブリッジデバイスを携行する人、例えば患者は、新しいセンサを受け取る。新しいセンサは、例えばＢｌｕｅｔｏｏｔｈ（登録商標）  Ｌｏｗ  Ｅｎｅｒｇｙ（ＢＬＥ）などの高帯域幅チャネルを介して自身の一意的なＩＤをブロードキャスするが、センサはブリッジとペアリングしない可能性がある。ブリッジデバイス（ハブ）は、例えばＢＣＣなどの低帯域幅チャネルを介して自身の一意的なＩＤを送信し、センサがブリッジデバイスのＩＤを検出して、高帯域幅通信チャネル（ＢＬＥ）を介してブリッジに送り返した場合にのみセンサとペアリングし得る。
【００７０】
ここで、ブリッジデバイスとセンサデバイスをペアリングする方法の例を示す図４を参照する。
【００７１】
ステップ４０１において、センサデバイスが患者の身体に取り付けられる。このセンサデバイスはパッチの形態をとり得る。新しいセンサユニットを追加する人、例えば医療専門家が追加するセンサユニットを起動させてもよく、代替的に又は追加的に、患者の皮膚と接触するとセンサユニットが起動されてもよい。起動により、センサの高帯域幅チャネルがオンになり、かつ／又は、センサが高帯域幅通信チャネル（ＢＬＥ）上で自身をアドバタイズし得る。代替的に又は追加的に、起動により、ＢＣＣモードがオンになり、かつ／又は、センサが低帯域幅通信チャネル上で自身をアドバタイズし得る。
【００７２】
ステップ４０３において、ブリッジ（ＢＣＣハブ）は、例えば、高帯域幅通信チャネルを介して新しいセンサを検出し、低帯域幅通信チャネル、例えば、ＢＣＣチャネルを起動して、自身の一意的なＩＤ（ＢＣＣハブＩＤ）を低帯域幅通信チャネルを介してブロードキャストし得る。一部の実施形態では、高帯域幅通信チャネル、例えばＢＬＥを使用するブリッジユニットは、常に発見モードにあり得る。
【００７３】
ステップ４０５において、センサは患者のブリッジから一意的なＢＣＣハブＩＤを受信する。センサパッチは、身体結合通信チャネルを介してのみブリッジから一意的なＢＣＣハブＩＤ信号を受信可能であり、これは、センサパッチがブリッジと同じ身体に取り付けられていることを保証する。
【００７４】
ステップ４０７において、センサパッチは、ブリッジが新しいパッチが同じ患者の身体に物理的に取り付けられているか否かを検出できるように、例えば高帯域幅通信チャネル（ＢＬＥ）を介して一意的なＢＣＣハブＩＤを用いて自身をアドバタイズし得る。
【００７５】
ステップ４０９において、ブリッジは高帯域幅通信チャネルアドバタイズメントリストにおいて自身のＩＤをリッスンし、自身のＩＤを検出した場合、ブリッジはアドバタイズされたＢＣＣハブＩＤを介してパッチがブリッジデバイスと同じ身体上にあることを知り、センサパッチとペアリングして接続する。ブリッジはセンサとペアになり、センサをボディセンサネットワーク（ＢＳＮ）に追加し得る。
【００７６】
ブリッジが高帯域幅通信チャネル（ＢＬＥ）アドバタイズメントリストにおいて自身の一意のＢＣＣハブＩＤを検出しない場合、ブリッジは新しいセンサとペアリングしない可能性がある。タイムアウトメカニズムが使用されてもよい。例えば、ブリッジは、ブリッジにおけるあるアクションの実行、例えばＢＣＣチャネルのうちの１つを介するＢＣＣハブＩＤの送信、又は高帯域幅チャネルのうちの１つを介するＢＣＣハブＩＤの受信などの際に開始するタイミングメカニズムを利用し得る。代替的に又は追加的に、正常に送信及び／又は受信されたハブＩＤの数をカウントするカウンタメカニズムを使用してもよい。例えば、送信及び／又は受信されたハブＩＤについて事前定義された数が存在し、所定の数が満たされない場合、ブリッジは新しいセンサとペアにならなくてもよい。事前定義された送信回数はユーザによって定義されてもよいし、メーカーによって定義されてもよい。
【００７７】
一部の実施形態では、センサパッチは、例えばＢＬＥなどの高帯域幅通信チャネルを介して一意のＢＣＣハブＩＤを受信し、身体結合通信チャネルを介して一意のＢＣＣハブＩＤを用いてブリッジに自身をアドバタイズし、上記と同様にセンサパッチがブリッジと同じ身体に取り付けられていることが保証される。
【００７８】
代替的実施形態では、センサは、低帯域幅通信チャネル（ＢＣＣ）を介して自身の一意のＩＤ（センサＩＤ）を発信し得る。また、センサは、低帯域幅通信チャネル（ＢＣＣ）を介して送信されるセンサＩＤで注釈が付けられた高帯域幅通信チャネル（ＢＬＥ）上で自身をアドバタイズしてもよい。
【００７９】
一部の実施形態では、ブリッジが高帯域幅通信チャネル（ＢＬＥ）リストにおいてセンサを検出すると同時に、低帯域幅通信チャネル（ＢＣＣ）を介してリスト内のセンサＩＤを検出する場合にのみ、ブリッジがセンサとペアリングする。
【００８０】
一部の実施形態では、センサによって測定された生理学的信号が、ブリッジにおける生理学的信号と比較され得る。これらの生理学的信号が同じであると判断された場合、センサとハブが同じ患者に取り付けられていると判断され得る。生理学的信号は、例えば、皮膚反応信号又は心拍数信号であり、センサが同じ患者の身体に取り付けられているか否か、又は依然として取り付けられているか否かを判断するために、前記信号が患者の身体上の２つの異なる地点において相関づけられ得る。
【００８１】
さらなるセンサが患者の身体に追加され、同じ及び／又は同様な方法を利用して同じ及び／又は別のブリッジに接続され、ここで、一意のＩＤが身体結合通信チャネルを介して対応するデバイスに送信され得る。
【００８２】
一部の実施形態には、患者の身体と直接又はほぼ接触しているときにのみセンサがブリッジから一意のＩＤを受信し得るので、ブリッジが、センサが正しい患者に装着されており、近くの他者に装着されていないことを保証できるという利点がある。
【００８３】
一部の実施形態では、ボディエリアネットワーク（ＢＡＮ）を介してブリッジと通信し得る着用センサユニットが提供されてもよい。センサユニットは、通信にセンサデータの有効性に関するメタデータを含めることができる。センサデバイスとの通信がセットアップされると、センサはセンサデータをブリッジ又はハブに提供し得る。
【００８４】
ブリッジは、ＢＡＮを介して１つ又は複数のセンサユニット（他のネットワークと接続し得る）からデータを受信する。前述のように、ＢＡＮは、例えば身体結合通信を介するセンサユニット及びブリッジの同一身体上／付近検出のための低帯域幅通信チャネル、及び、例えばＢＬＥ、ＡＮＴ、Ｍ−ＢＡＮ、及び／又は他のＲＦネットワークを介するセンサユニットとブリッジとの間のデータ通信のための高帯域幅通信チャネルを備える。
【００８５】
一部の実施形態では、身体結合通信チャネルの信号品質及び／又は送信される情報の品質は、正しいセンサ配置を示唆し得る。例えば、センサの測定値が準最適又は不適合である場合、及び／又は身体結合通信の信号品質が準最適（ただし、必ずしも欠けているわけではない）である場合、これはセンサパッチ（又はブリッジ、あるいはその両方）が身体に正しく取り付けられていない可能性を示す。そのような例では、ブリッジは、センサの身体への取り付けを確認するようにユーザをガイドするフィードバックを提供してもよい。例えば、センサの測定値が準最適及び／又は不適合であるが、身体結合通信の信号品質が最適である場合、センサは身体に正しく取り付けられているが、間違った位置に配置されている可能性が高い。このような例では、センサの位置を調整するために、ブリッジはユーザにフィードバックを提供し得る。
【００８６】
さらに、高帯域幅通信チャネル（例えば無線チャネル）及び／又は低帯域幅通信チャネル（例えばＢＣＣチャネル）の信号強度は、センサとブリッジとの間の距離に関する情報をブリッジ及び／又はセンサに供給し得る。この情報は、例えば、センサ配置ガイダンスのためにも使用され得る。例えば、センサが患者の胸部に取り付けられているが、通信チャネルのうちの一方又は両方の強さが、センサが患者の脚に取り付けられていることを示唆している場合、センサを想定位置に再配置する旨の指示がブリッジ及び／又はセンサによって提供され得る。この機能には、例えば、ユーザによって事前定義された、及び／又は同じ若しくは別の患者上のシステムによって以前に測定された、及び／又は参照テーブルに含まれる基準値が要求され得る。
【００８７】
次に、センサパッチが再配置を必要とするか否かを決定する方法の例を示す図７を参照する。
【００８８】
ステップ７０１において、ブリッジデバイスは、１つ又は複数の高帯域幅通信チャネル及び／又は１つ又は複数の低帯域幅通信チャネルを介して、１つ又は複数のセンサからセンサ情報を含む信号を受信する。
【００８９】
次に、ステップ７０３において、ブリッジデバイスは受信信号の品質を決定し得る。
【００９０】
ステップ７０５において、ブリッジは、受信信号の品質を事前定義された閾値と比較する。信号の品質が事前定義された閾値よりも低いとみなされる場合、ブリッジデバイスは、１つ又は複数のセンサ７０９をどこに配置及び／又は再配置するかに関する情報を提供し得る。
【００９１】
ステップ７０５において信号品質が事前定義の閾値よりも高いと認められた場合、ブリッジデバイスは、受信信号７０７内に含まれるセンサデータの品質を決定し得る。
【００９２】
ステップ７０８において、ブリッジは、センサデータの品質を事前定義された閾値と比較する。センサデータの品質が事前定義された閾値よりも低いとみなされる場合、ブリッジデバイスは、１つ又は複数のセンサ７０９をどこに配置及び／又は再配置するかに関する情報を提供し得る。
【００９３】
ステップ７０８においてセンサデータの品質が事前定義の閾値よりも高いと認められた場合、ブリッジデバイスは、１つ又は複数の身体結合通信チャネル７１０の信号強度を決定し得る。
【００９４】
ステップ７１３において、ブリッジは、１つ又は複数の身体結合通信チャネルの信号強度を事前定義された閾値と比較する。１つ又は複数の身体結合通信チャネルの信号強度が事前定義された閾値よりも低いとみなされる場合、ブリッジデバイスは、１つ又は複数のセンサ７０９をどこに配置及び／又は再配置するかに関する情報を提供し得る。
【００９５】
ステップ７０３〜７０５のセット、ステップ７０７〜７０８のセット、及びステップ７１０〜７１３のセットは、他のステップのセットの結果に関係なく実行され得ること、及び、ステップ７０３〜７０５のセット、ステップ７０７〜７０８のセット、又はステップ７１０〜７１３のセットの測定及び決定を最初に実行することが他のセットの測定及び決定を排除しないことを理解されたい。さらに、ステップ７０７〜７０８のセット、ステップ７０３〜７０５のセット、及びステップ７１０〜７１３のセットは、任意の順序で及び／又は同時に実行することができる。
【００９６】
一部の実施形態では、１つ又は複数のセンサパッチの再配置が必要であるか否かを決定する方法は、１つ又は複数のブリッジで実行される。
【００９７】
一部の実施形態では、１つ又は複数のセンサパッチの再配置が必要であるか否かを決定する方法は、１つ又は複数のセンサで実行される。
【００９８】
一部の実施形態では、１つ又は複数のセンサの再配置に関する情報は、１つ又は複数のブリッジにより提供される。
【００９９】
一部の実施形態では、１つ又は複数のセンサの再配置に関する情報は、１つ又は複数のセンサによって提供される。
【０１００】
ステップ７１１において、受信信号の品質及び／又はセンサデータの品質及び／又は１つ若しくは複数の身体結合通信チャネルの信号強度がそれぞれの事前定義された閾値を超えると認められる場合、１つ又は複数のセンサが正しく配置されている可能性があると判断される。
【０１０１】
一部の実施形態では、低帯域幅通信チャネル（ＢＣＣチャネル）は、高帯域幅通信チャネル（ＢＬＥ）リストにおいてペアリングされていないセンサが現れた場合にのみアクティブ化され得る。これにより、ハブにおいて電力が節約され得る。
【０１０２】
一部の実施形態では、起動後、センサユニットはセンサ測定値の取得を開始し、それらの測定値を送信し得る。しかし、センサが（誤った）患者に取り付けられ、別の患者に対応するブリッジとペアリングされた場合、測定値は別の（誤った）患者のものであり得るので、無視され得る。
【０１０３】
一部の実施形態では、如何にして信号品質を改善するかに関するユーザへのガイダンスは、センサが（正しい）患者に付与された後にのみ開始され得る。したがって、センサとハブの付与が、身体結合通信による有効な接続を介する（例えば、前述の２チャンネルＩＤループバック方法のいずれかを介する）、同じ（正しい）患者に対するものであると判断された場合、最適なセンサ測定値を得るための身体上の最適な位置を見つけるために、配置ガイダンスがユーザに提供される。
【０１０４】
上記方法では、ブリッジとセンサパッチのペアリング、及びセンサパッチの配置について説明した。次に、図５を参照して、ブリッジとハブのペアリングを解除する方法を説明する。
【０１０５】
図５は、ブリッジデバイスからセンサをペアリング解除するプロセスの方法を示す。センサユニットが患者のボディセンサネットワーク（ＢＳＮ）から除去されるシナリオでは、以下のステップが実行され得る。センサユニットは様々な理由で除去され得る。例として、センサのみが不要になる、又はセンサのバッテリー状態が低いことが考えられる。
【０１０６】
ステップ５０１において、センサパッチが患者の身体から除去される（５０１）。
【０１０７】
ステップ５０３において、センサパッチはその後、ブリッジユニットにより受信される無効なセンサ測定値を生成するか、又は測定値を生成しない可能性がある。ブリッジユニットは、低帯域幅通信チャネル（ＢＣＣ）をオンにし、低帯域幅通信チャネル（ＢＣＣ）を介して一意のＩＤ（ブリッジＩＤ）の送信を開始する。
【０１０８】
ステップ５０５において、患者はまだセンサと接触しており（例えば、センサを手に持っている）、センサは低帯域幅通信チャネル（ＢＣＣ）信号を受信し、それを高帯域幅通信チャネル（ＢＬＥ）伝送を介してブリッジに送り返し得る。そのため、ブリッジはセンサがまだ患者に取り付けられており、無効な（不適合な）信号を提供していると考え得る。そして、ブリッジは正しい配置のためのガイダンスを提供し始め得る。
【０１０９】
ステップ５０７において、患者はもはやセンサと接触しておらず（例えば、センサを手放している）、センサは低帯域幅通信チャネル（ＢＣＣ）信号を失い、それを高帯域幅通信チャネル（ＢＬＥ）を介してブリッジに報告し得る。ブリッジは、センサが患者の身体から離れたことを判断することができる。
【０１１０】
次いで、ステップ５０９において、ブリッジは、センサの正しい配置のためのガイダンスの提供を停止し得る。また、ブリッジは、低帯域幅通信チャネルを介した通信を停止し得る。さらに、ブリッジは、センサがまだ収集及び送信している可能性のある誤ったデータを回避するために（例えば、同じセンサが別の患者に対して再利用されている場合、このデータは最初の患者のＢＳＮにとって望ましくない）、センサのペアリング解除を自動的に実行してもよい。
【０１１１】
一部の実施形態では、センサが身体を離れると、ブリッジの低帯域幅通信チャネル（ＢＣＣ）が非アクティブ化され得る。これは、センサとブリッジとの間の身体結合通信の遮断に起因してもよいし、又は、無効なセンサ信号、若しくは別の身体接触検知技術を介して検出され得る。低帯域幅通信チャネルを非アクティブ化することで、ブリッジにおける電力が節約され得る。
【０１１２】
一部の実施形態では、患者がセンサを配置するとき、センサの配置に関する誤った案内がユーザに与えられない可能性がある。
【０１１３】
一部の実施形態は、身体を離れたセンサの即時の又は遅延を伴う自動ペアリング解除を提供し、これは、特定の患者に関してセンサデータが正確でない医療エラーの減少をもたらし得る。
【０１１４】
一部の実施形態では、低帯域幅通信チャネル（ＢＣＣ）を介して自身の一意のＩＤを送信しつつ低帯域幅通信チャネル（ＢＣＣ）受信機においてリッスンしているとき、ブリッジがセンサの低帯域幅通信チャネル（ＢＣＣ）ＩＤをもはや受信せず、ブリッジがセンサから無効なセンサ測定値を受信するとき、センサが身体から離れたと結論付け得る。
【０１１５】
無効なセンサ信号は、必ずしも簡単に検出できるとは限らない。一部の実施形態では、低帯域幅通信チャネル（ＢＣＣ）信号結合強度が、センサが患者の身体にどれだけうまく取り付けられているかの指標として使用され得る。これはその後、センサ自体がまだ無効なデータを示していない場合であっても、後続するセンサデータが無効であるとみなし、ブリッジにセンサ配置を確認するためのガイダンスを提供させるためのトリガとして使用され得る。センサがセンサ配置ガイダンスを提供可能であってもよいし、又は、ブリッジデバイスと通信する別のデバイスであってもよいことを理解されたい。
【０１１６】
そのような実施形態は、ガルバニック皮膚接触を有さない可能性があるセンサ、例えば姿勢及び／又はモーションセンサの場合に有用であり得る。正確な測定のために、そのようなセンサは身体に密接に位置合わせされ得る。なぜなら、例えばセンサがモニタリングしている患者の体から独立して動くことができる場合、センサは体の姿勢／動きを正確に追跡できない可能性があるからである。体に密接に位置合わせされ得るセンサは、特定の低帯域幅通信チャネル（ＢＣＣ）結合強度をもたらし得る。この特定の強度は、センサの初期キャリブレーションシーケンス中に識別され得る。センサのキャリブレーションシーケンスには以下が含まれ得る。
センサが身体に取り付けられている；
デバイスのユーザが、適切に配置されていることを確認する；
センサが低帯域幅通信チャネル（ＢＣＣ）信号結合強度を測定する；
信号結合強度が基準として保存される；
センサが低帯域幅通信チャネル（ＢＣＣ）信号結合強度の低下を検出する；
低帯域幅通信チャネル（ＢＣＣ）信号結合強度の低下の検出により、ユーザに通知が送られる。
【０１１７】
この機能は、通常の静電容量タッチ技術を使用して実装されてもよい。
【０１１８】
本発明の実施形態は、例えば、ボディセンサネットワーク（ＢＳＮ）、ウェアラブルセンサ、個人用健康機器などの様々な用途を有し得る。本明細書に記載の実施形態は他の用途を有し、このリストは制限を意図するものではない。
【０１１９】
上記構成は、集積回路、チップセット、同じ又は異なるパッケージに収容された１つ又は複数のダイ、ディスクリート回路、又はこれらの選択肢の任意の組み合わせによって少なくとも部分的に実装され得ることを理解されたい。
【０１２０】
異なるバリエーションを備える様々な実施形態が上記で説明された。当業者は、これらの様々な実施形態及びバリエーションの様々な要素を組み合わせることができることに留意されたい。
【０１２１】
そのような変更、改変、及び改善はこの開示の一部であって、本発明の範囲内に含まれることが意図されている。したがって、上記の説明は単なる例であり、限定を意図するものではない。本発明は、以下の特許請求の範囲及び均等物において定めるところによってのみ限定される。
【図１】
2020505859.tif 000003
【図２】
2020505859.tif 000004
【図３】
2020505859.tif 000005
【図４】
2020505859.tif 000006
【図５】
2020505859.tif 000007
【図６ａ】
2020505859.tif 000008
【図６ｂ】
2020505859.tif 000009
【図７】
2020505859.tif 000010
【国際調査報告】
2020505859.tif 000011
2020505859.tif 000012